(57)【要約】【課題】    移動通信端末装置の操作キーに設定されたチャネル以外のチャネルを、容易に受信できるテレビ受信方法を提供する。【解決手段】    アプリケーションＡ３３のチャネル指定手段３５が、テレビ番組情報手段３４が取得したＥＰＧ情報から選択されたチャネルを指定して、基本処理部３２のチャネルチェック手段３８へテレビ受信要求を行う。チャネルチャック手段３８は、チャネルチェックＳ５０で、操作部１２のキーに割り当てられているかどうかのチェックと行い、キーに割り当てられていないチャネルの場合には、仮想チャネル記憶領域４２にチャネルを保存する。受信要求を受けたチャネル受信制御手段３９は、テレビチューナ２３に受信を要求し、受信された画像音声情報を表示部１３及び案内用スピーカ１６に出力するための処理を行う。【選択図】  図４
2006157820.tif 000002
【特許請求の範囲】
【請求項１】
テレビチューナ付きの移動通信端末装置におけるテレビ受信方法であって、
受信するチャネルを直接指定するチャネル指定工程と；
前記チャネル指定工程において指定されたチャネルが、予め前記移動通信端末装置の入力装置である操作部のキーに割当てられたチャネル以外のチャネルの場合には、仮想チャネル記憶領域に前記指定されたチャネルを保存する仮想チャネル保存工程と；
前記仮想チャネル保存工程において保存されたチャネルの電波信号を受信する仮想チャネル受信工程と、を備えるテレビ受信方法。
【請求項２】
受信されたテレビ番組の内容を録画し、録画ファイルとして保存する受信チャネル録画工程を更に備える、ことを特徴とする請求項１に記載のテレビ受信方法。
【請求項３】
前記チャネル指定工程はアプリケーションプログラムにより行われ、
前記チャネル指定工程における前記直接指定は、前記アプリケーションプログラムが取得したテレビ番組情報を用いて指定される、ことを特徴とする請求項２に記載のテレビ受信方法。
【請求項４】
前記録画ファイルには、少なくとも前記テレビ番組情報の一部が保存される、ことを特徴とする請求項３に記載のテレビ受信方法。
【請求項５】
前記チャネル指定工程はアプリケーションプログラムにより行われ、
前記チャネル指定工程における前記直接指定は、前記アプリケーションプログラムが取得したテレビ番組情報を用いて指定される、ことを特徴とする請求項１に記載のテレビ受信方法。
【請求項６】
前記アプリケーションプログラムが、受信している又は受信していたチャネル情報を取得する受信チャネル取得工程と；
前記アプリケーションプログラムが、前記受信チャネル取得工程において取得したチャネル情報を保存する受信チャネル保存工程と；を更に備え、
前記チャネル指定工程において、受信を開始する際に、前記アプリケーションプログラムが、前記受信チャネル保存工程において保存されたチャネル情報のチャネルを受信チャネルとして指定することを特徴とする請求項３〜５のいずれか一項に記載のテレビ受信方法。
【請求項７】
前記アプリケーションプログラムは、汎用性のあるアプリケーションプログラムである、ことを特徴とする請求項３〜６のいずれか一項に記載のテレビ受信方法。
【請求項８】
受信するテレビのチャネルを直接指定するチャネル指定手段と；
前記チャネル指定手段において、予め前記移動通信端末装置の入力装置である操作部のキーに割当てられたチャネル以外のチャネルが指定された場合に、前記指定されたチャネルが保存される仮想チャネル記憶領域と；
前記仮想チャネル記憶領域に、前記チャネルを保存する仮想チャネル保存手段と；
少なくとも前記仮想チャネル記憶領域に保存された前記チャネルの電波信号を受信するチャネル受信手段と；を備える移動通信端末装置。
【請求項９】
テレビ番組の情報を取得するテレビ番組情報取得手段を更に備え；
前記チャネル指定手段における前記直接指定は、前記テレビ番組情報取得手段が取得したテレビ番組情報を用いて指定される、ことを特徴とする請求項８に記載の移動通信端末装置。
【請求項１０】
前記チャネル受信手段により受信したテレビ番組の内容を録画し、録画ファイルとして保存する受信チャネル録画手段を更に備える；ことを特徴とする請求項８又は９に記載の移動通信端末装置。
【請求項１１】
前記録画ファイルには、少なくとも前記テレビ番組情報の一部が保存される、ことを特徴とする請求項１０に記載の移動通信端末装置。
【請求項１２】
前記チャネル受信手段が受信している又は受信していたチャネル情報を取得し、前記取得したチャネル情報を保存する受信チャネル取得保存手段と；
前記受信チャネル取得保存手段において取得したチャネル情報が保存される受信チャネル記憶領域と；を更に備え、
前記チャネル指定手段は、前記チャネル受信手段が受信を開始する際に、前記受信チャネル取得保存手段において保存されたチャネル情報のチャネルを受信チャネルとして指定する、ことを特徴とする請求項８〜１１のいずれか一項に記載の移動通信端末装置。
【請求項１３】
前記チャネル指定手段、前記テレビ番組情報取得手段、前記受信チャネル取得保存手段及び前記受信チャネル記憶領域は、汎用性のあるアプリケーションプログラムにより実現される、ことを特徴とする請求項８〜１２のいずれか一項に記載の移動通信端末装置。
【請求項１４】
テレビチューナ付きの移動通信端末装置における汎用性のあるアプリケーションプログラムにおいて、
受信するチャネルとして、予め前記移動通信端末装置の入力装置である操作部のキーに割当てられたチャネル以外のチャネルを直接指定するチャネル指定機能を、前記移動通信端末装置の処理装置に実現させるためのアプリケーションプログラム。
【請求項１５】
テレビの番組情報を取得するテレビ番組情報取得機能を、更に前記移動通信端末装置の処理装置に実現させるための請求項１４に記載のアプリケーションプログラム。
【請求項１６】
受信している又は受信していたチャネル情報を取得し、前記取得したチャネル情報を保存する受信チャネル取得保存機能を更に実現し、
前記チャネル指定機能では、受信を開始する際に、前記受信チャネル取得保存機能において保存されたチャネル情報のチャネルを受信チャネルとして指定する、ことを特徴とする請求項１４又は１５に記載のアプリケーションプログラム。
【発明の詳細な説明】
【技術分野】
【０００１】
本発明は、テレビ受信方法、移動通信端末装置及びアプリケーションプログラムに係り、より詳しくは、テレビチューナ付きの移動通信端末装置におけるテレビ受信方法、そのテレビ受信方法を使用する移動通信端末装置及びそのテレビ受信方法を使用するためのアプリケーションプログラムに関する。
【背景技術】
【０００２】
従来から、携帯電話をはじめとする移動通信端末装置が広く普及している。こうした移動通信端末装置は、通話機能、メール通信機能だけでなく様々な機能を有することができるようになってきている。このような様々な機能を備える移動通信端末装置の中には、テレビチューナを有し、テレビ視聴及び録画機能を備える携帯電話も出現してきている（非特許文献１参照）。
【０００３】
このような、テレビ機能付きの移動通信端末装置では、操作キーにテレビチャネルとして、予め利用者が主に生活している地域の周波数を割り当て、利用者はその操作キーのチャネルの中から、視聴又は録画したい番組のチャネルを選ぶことにより、チャネルの選択を行っている。
【０００４】
また、移動通信端末装置に限らず、テレビを録画する際などに、放送電波やインターネットを経由して電子番組表（ＥＰＧ：Electric Program Guide）を取得して、その番組の電子情報をテレビ番組の録画機器に送信することで、録画予約等を行うことも一般化してきている（特許文献１参照）。
【非特許文献１】“製品情報 V601N”、[online]、Vodafone、[平成１６年１１月１５日検索]、インターネット <URL：http://www.vodafone.jp/japanese/products/kisyu/v601n/index.html>
【特許文献１】特開２０００−２７８６２３号公報
【発明の開示】
【発明が解決しようとする課題】
【０００５】
上述したように、携帯電話によりテレビを視聴又は録画を行うことや、テレビの番組情報としてＥＰＧ等のテレビ番組情報が使われることが一般的となっている。
【０００６】
しかしながら、移動通信端末装置の場合には、利用者が普段生活している地域だけでなく、出張や旅行等によって、操作キーに設定された周波数以外の周波数が使用されている地域に持ち運ばれることも多い。また、操作キーに設定された周波数の地域であっても、設定された以外の周波数を視聴又は録画したい場合もある。
【０００７】
本発明は、上記の事情を鑑みてなされたものであり、移動通信端末装置の操作キーに設定されたチャネル以外のチャネルを、容易に受信することができるテレビ受信方法、そのテレビ受信方法を使用する移動通信端末装置及びそのテレビ受信方法を使用するためのアプリケーションプログラムを提供することを目的とする。
【課題を解決するための手段】
【０００８】
本発明のテレビ受信方法は、テレビチューナ付きの移動通信端末装置におけるテレビ受信方法であって、受信するチャネルを直接指定するチャネル指定工程と；前記チャネル指定工程において指定されたチャネルが、予め前記移動通信端末装置の入力装置である操作部のキーに割当てられたチャネル以外のチャネルの場合には、仮想チャネル記憶領域に前記指定されたチャネルを保存する仮想チャネル保存工程と；前記仮想チャネル保存工程において保存されたチャネルの電波信号を受信する仮想チャネル受信工程と、を備えるテレビ受信方法である。
【０００９】
このテレビ受信方法では、まず、チャネル指定工程において、受信するチャネルを直接指定する。ここで、「直接指定」とは、周波数を少しずつ動かしながらスキャンして指定するような場合は含まれず、直接チャネルを指定することを意味する。次に、仮想チャネル保存工程において、指定されたチャネルが、予め操作部の操作キーに割当てられたチャネルでない場合には、仮想チャネル記憶領域に指定されたチャネルを保存する。
【００１０】
ここで、「予め操作部の操作キーに割当てられた」とは、工場出荷時の設定又は利用者の設定により、テレビ機能を使用する際に、移動通信端末装置の操作部の操作キーに割り振られたチャネルのことを意味する。また、いわゆるトグルキーのように、同じキーを押すことを繰り返すことにより、そのキーにより指定されるチャネルが変化するような場合や、異なるキーを複数押すことにより１つのチャネルを指定する場合は、操作キーに割当てられている場合には含まれない。つまり、１つの操作キーに１つのチャネルが割当てられている場合のみ「操作キーに割当てられた」場合となる。
【００１１】
引き続き、仮想チャネル受信工程において、保存されたチャネルの電波信号を受信する。したがって、このテレビ受信方法では、利用者は、操作キーに設定されたチャネル以外のチャネルを、受信して視聴することができる。
【００１２】
また、本発明のテレビ受信方法では、受信されたテレビ番組の内容を録画し、録画ファイルとして保存する受信チャネル録画工程を更に備える、とすることができる。この場合には、利用者は、操作キーに設定されたチャネル以外のチャネルを、視聴するだけでなく、録画し、録画ファイルとして残すことができる。
【００１３】
また、本発明のテレビ受信方法では、前記チャネル指定工程はアプリケーションプログラムにより行われ、前記チャネル指定工程における前記直接指定は、前記アプリケーションプログラムが取得したテレビ番組情報を用いて指定される、とすることができる。この場合には、利用者は、テレビ番組情報を取得したアプリケーションプログラムにより表示等されたテレビ番組情報を選択するなどの方法により、チャネルを指定することができる。
【００１４】
ここで、テレビ番組情報は、いわゆるＥＰＧ（Electric Program Guide：電子番組表）等、放送やインターネット等を通じて取得されるテレビ番組情報を意味している。したがって、利用者は、取得したテレビ番組情報から、容易に、操作キーに設定されたチャネル以外のチャネルを、受信して視聴又は録画することができる。また、ここでの放送とは、公衆に対して同一の内容を同時に受信させることを目的として行う無線通信の送信をいい、テレビ若しくはラジオ等、又は、アナログ若しくはデジタル等の別を問わない。
【００１５】
また、本発明のテレビ受信方法では、前記録画ファイルには、少なくとも前記テレビ番組情報の一部が保存される、とすることができる。この場合には、ＥＰＧ情報等により取得したテレビ番組情報を、録画ファイルの情報の一部として記録する。例えば、録画ファイルのファイル名にテレビ番組情報を使用する場合等である。したがって、利用者は、録画した番組を識別するための情報の入力を行わなくとも、録画ファイルにテレビ番組情報が記録されるため、容易に識別することのできるファイルを作成することができる。
【００１６】
また、本発明のテレビ受信方法では、前記アプリケーションプログラムが、受信している又は受信していたチャネル情報を取得する受信チャネル取得工程と；前記アプリケーションプログラムが、前記受信チャネル取得工程において取得したチャネル情報を保存する受信チャネル保存工程と；を更に備え、前記チャネル指定工程において、受信を開始する際に、前記アプリケーションプログラムが、前記受信チャネル保存工程において保存されたチャネル情報のチャネルを受信チャネルとして指定する、とすることができる。
【００１７】
この場合には、受信チャネル取得工程において、アプリケーションプログラムが受信している又は受信していたチャネル情報を取得し、受信チャネル保存工程において、そのチャネル情報を保存する。ここで、「受信しているチャネル情報」とはテレビを受信している場合に、その受信しているチャネルのチャネル情報のことをいい、「受信していたチャネル情報」とはテレビを受信していない場合に、過去に受信していたチャネルのチャネル情報のことをいう。また、「チャネル情報」とは、少なくともチャネルを含む情報であり、チャネルの他の情報の例としては、チャネル種別やチャネル種別情報を含むかどうかのフラグ情報等がある。
【００１８】
次に、チャネル指定工程において、テレビ受信を開始する際に、アプリケーションプログラムが、受信チャネル保存工程において保存されたチャネル情報のチャネルを受信チャネルとして指定する。これにより、アプリケーションプログラムはテレビ受信されたチャネルを保存しておくことにより、次にテレビ受信を開始する際にその保存された情報を利用することができる。したがって、利用者は、受信開始時に、過去に受信していたチャネルで、操作キーに設定されたチャネル以外のチャネルを、設定しなおさなくとも、視聴又は録画することができる。
【００１９】
また、本発明のテレビ受信方法では、前記アプリケーションプログラムは、汎用性のあるアプリケーションプログラムである、とすることができる。ここで汎用性のあるアプリケーションプログラムとは、携帯電話の個々の端末に依存せずに汎用的に使用できる、いわゆるＪＡＶＡ（登録商標）等のアプリケーションプログラムのことをいう。したがって、利用者は、様々な端末で当該アプリケーションを利用することができる。
【００２０】
本発明の移動通信端末装置は、受信するテレビのチャネルを直接指定するチャネル指定手段と；前記チャネル指定手段において、予め前記移動通信端末装置の入力装置である操作部のキーに割当てられたチャネル以外のチャネルが指定された場合に、前記指定されたチャネルが保存される仮想チャネル記憶領域と；前記仮想チャネル記憶領域に、前記チャネルを保存する仮想チャネル保存手段と；少なくとも前記仮想チャネル記憶領域に保存された前記チャネルの電波信号を受信するチャネル受信手段と；を備える移動通信端末装置である。
【００２１】
この移動通信端末装置では、チャネル指定手段が、受信するテレビのチャネルを直接指定する。また、チャネル指定手段において、予め前記移動通信端末装置の入力装置である操作部のキーに割当てられたチャネル以外のチャネルが指定された場合には、仮想チャネル保存手段が、仮想チャネル記憶領域に、指定されたチャネルを保存する。また、チャネル受信手段は、少なくとも仮想チャネル記憶領域に保存されたチャネルの電波信号を受信する。
【００２２】
ここで、「少なくとも〜受信する」は、チャネル受信手段が、仮想チャネル記憶領域に保存されたチャネル以外のチャネルについても、電波信号を受信することができる手段であってもよいことを意味する。また、「直接指定」及び「予め操作部の操作キーに割当てられた」の語は、上述したテレビ受信方法の説明と同じの意味で用いられている。したがって、この移動通信端末装置の利用者は、操作キーに設定されたチャネル以外のチャネルを、受信して視聴することができる。
【００２３】
本発明の移動通信端末装置は、テレビ番組の情報を取得するテレビ番組情報取得手段を更に備え；前記チャネル指定手段における前記直接指定は、前記テレビ番組情報取得手段が取得したテレビ番組情報を用いて指定される、とすることができる。この場合には、利用者は、テレビ番組情報を取得したテレビ番組情報取得手段により表示等されたテレビ番組情報を選択するなどの方法により、視聴したいチャネルを指定することができる。
【００２４】
ここで、「テレビ番組情報」は、上述したテレビ受信方法の説明と同じく、ＥＰＧ等のテレビ番組情報の意味で用いられている。したがって、本発明の移動通信端末装置の利用者は、取得したテレビ番組情報から、容易に、操作キーに設定されたチャネル以外のチャネルを、受信して視聴することができる。
【００２５】
本発明の移動通信端末装置は、前記チャネル受信手段により受信したテレビ番組の内容を録画し、録画ファイルとして保存する受信チャネル録画手段を更に備える、とすることができる。この場合には、利用者は、操作キーに設定されたチャネル以外のチャネルを、視聴するだけでなく、録画し、録画ファイルとして残すことができる。
【００２６】
また、本発明の移動通信端末装置では、前記録画ファイルには、少なくとも前記テレビ番組情報の一部が保存される、とすることができる。この場合には、ＥＰＧ情報等により取得したテレビ番組情報を、録画ファイルの情報の一部として記録する。例えば、録画ファイルのファイル名にテレビ番組情報を使用する場合等である。したがって、利用者は、録画した番組を識別するための情報の入力を行わなくとも、録画ファイルにテレビ番組情報が記録されるため、容易に識別することのできるファイルを作成することができる。
【００２７】
本発明の移動通信端末装置では、チャネル受信手段が受信している又は受信していたチャネル情報を取得し、前記取得したチャネル情報を保存する受信チャネル取得保存手段と；前記受信チャネル取得保存手段において取得したチャネル情報が保存される受信チャネル記憶領域と；を更に備え、前記チャネル指定手段は、前記テレビチューナが受信を開始する際に、前記受信チャネル取得保存手段において保存されたチャネル情報のチャネルを受信チャネルとして指定する、とすることができる。
【００２８】
この場合には、受信チャネル取得保存手段において、チャネル受信手段が受信しているチャネル情報を取得し、取得したチャネル情報を受信チャネル記憶領域に保存する。ここで、「受信しているチャネル情報」、「受信していたチャネル情報」及び「チャネル情報」は、上述したテレビ受信方法の説明と同じ意味で用いられている。更に、チャネル指定手段は、チャネル受信手段が受信を開始する際に、受信チャネル取得保存手段において保存されたチャネル情報のチャネルを指定して、受信を開始する。
【００２９】
これにより、受信チャネル記憶領域に保存されたチャネルを使用することにより、次にテレビ受信を開始する際にそのチャネルで受信することができる。したがって、利用者は、受信開始時に、過去に受信していたチャネルで、操作キーに設定されたチャネル以外のチャネルを、設定しなおさなくとも、視聴又は録画することができる。
【００３０】
本発明の移動通信端末装置において、前記チャネル指定手段、前記テレビ番組情報取得手段、前記受信チャネル取得保存手段及び前記受信チャネル記憶領域は、汎用性のあるアプリケーションプログラムにより実現される、とすることができる。ここで汎用性のあるアプリケーションプログラムとは、上述したテレビ受信方法の説明と同じように、携帯電話の個々の端末に依存せずに汎用的に使用できる、いわゆるＪＡＶＡ（登録商標）等のアプリケーションプログラムのことをいう。したがって、利用者は、操作キーに設定されたチャネル以外のチャネルを視聴する機能を様々な端末で利用することができる。
【００３１】
本発明のアプリケーションプログラムは、テレビチューナ付きの移動通信端末装置における汎用性のあるアプリケーションプログラムであり、受信するチャネルとして、予め前記移動通信端末装置の入力装置である操作部のキーに割当てられたチャネル以外のチャネルを直接指定するチャネル指定機能を前記移動通信端末装置の処理装置に実現させるためのアプリケーションプログラムである。
【００３２】
このアプリケーションプログラムでは、チャネル指定機能において、受信するチャネルとして、予め前記移動通信端末装置の入力装置である操作部のキーに割当てられたチャネル以外のチャネルを直接指定する。ここで、「直接指定」、「予め操作部の操作キーに割当てられた」及び「汎用性のあるアプリケーションプログラム」の語は、上述したテレビ受信方法の説明と同じの意味で用いられている。したがって、利用者は、このアプリケーションプログラムに対応した様々な移動通信端末装置において、操作キーに設定されたチャネル以外のチャネルを指定することができる。
【００３３】
本発明のアプリケーションプログラムでは、テレビの番組情報を取得するテレビ番組情報取得機能を、更に前記移動通信端末装置の処理装置に実現させるアプリケーションプログラム、とすることができる。ここで、「テレビ番組情報」は、上述したテレビ受信方法の説明と同じく、ＥＰＧ等のテレビ番組情報の意味で用いられている。したがって、本発明のアプリケーションプログラムでは、インターネットや放送電波等を介して、テレビ番組情報を取得することができ、その取得したテレビ番組情報から、容易に、操作キーに設定されたチャネル以外のチャネルを、視聴することができる。
【００３４】
本発明のアプリケーションプログラムでは、受信している又は受信していたチャネル情報を取得し、前記取得したチャネル情報を保存する受信チャネル取得保存機能を更に実現し、前記チャネル指定機能は、受信を開始する際に、前記受信チャネル取得保存機能において保存されたチャネル情報のチャネルを受信チャネルとして指定する、とすることができる。
【００３５】
この場合には、受信チャネル取得保存機能において、受信しているチャネル情報を取得し、取得したチャネル情報を保存する。ここで、「受信しているチャネル情報」、「受信していたチャネル情報」及び「チャネル情報」は、上述したテレビ受信方法の説明と同じの意味で用いられている。更に、チャネル指定機能は、テレビチューナが電波の受信を開始する際に、受信チャネル取得保存機能において保存されたチャネル情報のチャネルを指定して、受信を開始する。
【００３６】
これにより、受信チャネル取得保存機能において保存されたチャネルを使用して、次にテレビ受信を開始する際にそのチャネルを指定することができる。したがって、利用者は、受信開始時に、過去に受信していたチャネルで、操作キーに設定されたチャネル以外のチャネルを、設定しなおさなくとも、指定することができる。
【発明の効果】
【００３７】
以上説明したように、本発明のテレビ受信方法及びその方法を使用した移動通信端末装置では、移動通信端末装置の操作キーに設定されたチャネル以外のチャネルを、容易に受信することができるという効果を奏する。また、本発明のアプリケーションプログラムでは、このアプリケーションプログラムに対応した様々な移動通信端末装置において、操作キーに設定されたチャネル以外のチャネルを、容易に受信することができるという効果を奏する。
【発明を実施するための最良の形態】
【００３８】
以下、本発明の一実施形態を、図１〜図７を参照しつつ説明する。なお、これらの図においては、同一又は同等の要素には同一の符号を付し、重複する説明を省略する。
【００３９】
図１には、携帯電話１０の外観構成が概略的に示されている。図１に示されるように、携帯電話１０は、（ａ）電話番号を入力するためのテンキー、及び、動作モードの切替等の各種指令を入力するためのファンクションキーを有する操作部１２と、（ｂ）携帯電話１０の操作案内、動作状況、受信メッセージ等を表示する液晶表示装置を有する表示部１３と、（ｃ）通話時に通信相手から送られてきた音声信号を再生する通話用スピーカ１４と、（ｄ）集音時に音を入力したり、通話時に音声を入力したりするためのマイクロフォン１５と、（ｅ）着信音や案内音を発生するための案内用スピーカ１６と、（ｆ）基地局と無線通信を行うためのアンテナ１７とを備えている。
【００４０】
図２には、携帯電話１０の内部の情報処理システムである内部システム１１が概略的に示されている。内部システム１１は、携帯電話１０のシステム全体を統括制御する制御部２１と、アンテナ１７を介して基地局と無線通信をおこなう送受信部２２と、テレビ放送の電波を受信するテレビアンテナ２４と、テレビ放送の電波のうち指定された周波数を受信し、制御部２１で処理される形式にコード化するテレビチューナ２３とを備えている。
【００４１】
ここで、制御部２１は、図３に示されるように、汎用アプリケーション部３１と、基本処理部３２とを備えており、不図示の中央処理装置（ＣＰＵ）、デジタル信号処理装置（ＤＳＰ）及び記憶装置（ＲＡＭ等）等のハードウェアにより実行・処理される。汎用アプリケーション部とは、携帯電話の端末に依存せずに汎用的に使用できるアプリケーションプログラムを備える部分であり、いわゆるＪＡＶＡ（登録商標）等の言語で記述されたプログラムが収められている。これに対し、基本処理部３２とは、汎用アプリケーション部以外の制御部２１の部分を表している。
【００４２】
更に、汎用アプリケーション部３１は、テレビ機能を利用するためのアプリケーションプログラムであるアプリケーションＡ３３を備え、アプリケーションＡ３３は、（ｉ）アンテナ１７及び送受信部２２を介して、インターネットからテレビ番組情報であるＥＰＧ（Electric Program Guide）情報を取得し、表示部１３に表示したりするテレビ番組情報取得手段３４と、（ii）基本処理部３２に対し、テレビ受信の開始と受信チャネルの指定を要求するチャネル指定手段３５と、（iii）基本処理部から受信しているチャネルの取得し、保存する受信チャネル取得保存手段３６と、（iv）受信チャネル取得保存手段３６により取得されたチャネルが保存される受信チャネル記憶領域３７とを有している。
【００４３】
基本処理部３２は、(ｉ)チャネル指定手段３５により指定されたチャネルが、操作部１２のキーに割当てられたチャネルであるかどうか、及び、テレビチューナ２３により受信可能なチャネルであるかどうか、の確認を行うチャネルチェック手段３８と、（ii）後述する割当てチャネル記憶領域４１又は仮想チャネル記憶領域４２から受信するチャネルを取得し、テレビチューナ２３に受信を要求するチャネル受信制御手段３９と、(iii)受信チャネルの録画（録音含む）を行う受信チャネル録画手段４０と、（iv）操作部１２のキーに割当てられたチャネルの情報を保持する割当てチャネル記録領域４１と、（ｖ）操作部１２のキーに割当てられておらず、テレビチューナ２３により受信可能なチャネルの情報を一時的に保持する仮想チャネル記憶領域４２とを備えている。
【００４４】
次に、上記のように構成された携帯電話１０におけるテレビ受信方法について説明する。
【００４５】
図４に示されるように、まず、起動中のアプリケーションＡにより、インターネットを経由して、電子テレビ番組表（ＥＰＧ）情報が取得され、表示部１３に表示される。ここで、利用者が表示されたＥＰＧ情報から番組を選択し視聴するため操作を行うと、テレビ番組情報取得手段３４は、チャネル指定手段３５に、選択されたチャネルを指定して、テレビ受信の要求を行う。
【００４６】
テレビ受信の要求を受けたチャネル指定手段３５は、指定されたチャネルをパラメータとして、チャネルチェック手段３８にテレビ受信を要求する。この要求を受けたチャネルチェック手段３８は、チャネルチェックＳ５０を行う。チャネルチェックＳ５０は、図５に示されるように、まず、ステップＳ５１において、割当てチャネル記憶領域４１から、操作部１２のキーに割当てられたチャネルを取得し、指定されたチャネルが含まれるかどうかを判定する。
【００４７】
この判定が肯定的な場合には、ステップＳ５２において、割当てチャネル記憶領域４１に含まれるチャネルでのテレビ受信要求を行う。更に、ステップＳ５３において、携帯電話１０がテレビ受信を開始してその画像を表示するために、アプリケーションＡに一時停止を要求する。一時停止を要求されたアプリケーションＡは一時停止する。
【００４８】
一方、ステップＳ５１における判定が否定的な場合には、ステップＳ５４において、指定されたチャネルがテレビチューナ２３で受信可能なチャネルであるかどうかが判定される。この判定が肯定的な場合には、チャネルチェック手段３８は、ステップＳ５５において、仮想チャネル記憶領域４２に指定されたチャネルを保存し、ステップＳ５６において、仮想チャネルでのテレビ受信要求を行う。また、ステップ５７において、ステップＳ５１で肯定的な判定がされた場合と同様に、アプリケーションＡに一時停止を要求する。
【００４９】
ステップＳ５４における判定が否定的な場合には、ステップＳ５８において、アプリケーションＡに、受信できるチャネルでない旨のエラーを通知する。
【００５０】
ここで、指定されたチャネルは、テレビチューナ２３で受信可能であるが、操作部１２のキーに割り当てられていないチャネルであるとする。したがって、この場合には、チャネルチェックＳ５０で仮想チャネル記憶領域に保存されたチャネルでテレビ受信することになる。図４に戻り、テレビ受信要求を受けたチャネル受信制御手段３９は、仮想チャネル記憶領域４２からチャネルを取得し、テレビチューナ２３に対し、テレビ受信開始要求を行う。
【００５１】
テレビ受信要求を受けたテレビチューナ２３は、テレビアンテナ２４を介し、指定されたチャネルの周波数の電波信号を受信し、受信した画像音声情報を制御部２１で処理できる形式にエンコードした後、チャネル受信制御手段３９に送る。エンコードされた画像音声信号を受けたチャネル受信制御手段３９は、その画像音声情報をデコードし、画像情報を表示部１３に、音声情報を案内用スピーカ１６に送る。画像情報を受けた表示部１３はその表示面に画像を出力し、音声情報を受けた案内用スピーカ１６は音声を出力する。
【００５２】
ここで、利用者が、操作部１２の十字キーの右キーを繰り返し押下すると、チャネル受信制御手段３９は、割当てチャネル記憶領域４１に保存されている、予め操作部１２の操作キーに割当てられたチャネルを、順番に指定して受信する。割当てチャネル記憶領域４１に保存されているチャネルをすべて指定し終え、利用者が更に上キーを繰り返し押下すると、チャネル受信制御手段３９は、仮想チャネル記憶領域４２に保存されたチャネルを指定して受信する。更に上キーを繰り返し押下すると、再び割当てチャネル記憶領域４１に保存されているチャネルを受信し、十字キーはいわゆるトグルキーとして動作する。
【００５３】
引き続き、図６を参照しつつ、テレビ受信の一時停止時とテレビ受信の再開時の動作について説明する。なお、テレビ受信一時停止時に受信しているチャネルは、テレビチューナ２３で受信可能であるが、操作部１２のキーに割り当てられていないチャネルであるとする。
【００５４】
受信処理中のチャネル受信制御手段３９は、受信処理の終了の要求を受けると、テレビチューナ２３に対し、受信終了の要求を行うと共に、デコード処理を終了し、アプリケーションＡに対し再開の要求を行う。再開要求により再開されたアプリケーションＡの受信チャネル取得保存手段３６は、チャネル受信制御手段３９に対し、受信していたチャネル情報を要求する。ここで、チャネル情報には、「チャネル」の他に、「チャネル種別」及び「チャネル種別情報を含むかどうかのフラグ情報」を含んでいる。
【００５５】
チャネル情報を要求されたチャネル受信制御手段３９は、受信終了時に受信していたチャネル情報を受信チャネル取得保存手段３６に応答する。チャネル情報を受けた受信チャネル取得保存手段３６は、受信チャネル記憶領域３７に、そのチャネル情報を保存する。
【００５６】
引き続き、起動中のアプリケーションＡにおいて、チャネルの指定なくテレビの受信要求があった場合には、チャネル指定手段３５は、受信チャネル記憶領域３７から、保存されているチャネル情報を取得する。そして、取得したチャネル情報のチャネルを指定して、チャネルチェック手段３８にテレビ受信要求を行う。
【００５７】
以下、図４で説明した場合と同様に、テレビ受信録画要求を受けたチャネルチェック手段３８はチャネルチェックＳ５０を行い、チャネル受信制御手段３９に仮想チャネルでの受信を要求する。受信を要求されたチャネル受信制御手段３９は、仮想チャネル記憶領域４２からチャネルを取得し、テレビチューナ２３に受信開始を要求する。引き続き、テレビ受信要求を受けたテレビチューナ２３は、電波信号を受信し、受信した画像音声情報をエンコードした後、チャネル受信制御手段３９に送り、その画像音声信号を受けたチャネル受信制御手段３９は、その画像音声情報をデコードする。デコードされた画像情報及び音声情報は、それぞれ表示部１３及び案内用スピーカ１６に送られることとなる。
【００５８】
次に、ＥＰＧ情報から録画を行う場合について、図７を参照しつつ説明する。
【００５９】
図４で説明した場合と同様に、アプリケーションＡ３３のＴＶ番組情報取得手段３４は、インターネットからＥＰＧ情報を取得し、表示部１３に表示する。利用者が表示されたＥＰＧ情報から番組を選択し、録画及び視聴をするため操作を行うと、テレビ番組情報取得手段３４は、チャネル指定手段３５に、テレビ受信と録画の要求を行うと共に、選択されたチャネル、及び、ＥＰＧ情報から取得したそのチャネルの番組情報を送る。なお、ここで選択されたチャネルは、テレビチューナ２３で受信可能であるが、操作部１２のキーに割り当てられていないチャネルであるとする。
【００６０】
テレビ受信録画要求を受けたチャネル指定手段３５は、チャネルチェック手段３８に、選択されたチャネルを指定してテレビ受信録画要求を行うと共に、そのチャネルの番組情報を送る。テレビ受信録画要求を受けたチャネルチェック手段３８は、チャネルチェックＳ５０を行い、チャネル受信制御手段３９に、番組情報と共に、仮想チャネルでの受信録画を要求する。受信録画を要求されたチャネル受信制御手段３９は、仮想チャネル記憶領域４２に保存されたチャネルを取得し、テレビチューナ２３に受信開始を要求し、受信チャネル録画手段４０に、番組情報と共に録画開始を要求する。
【００６１】
テレビ受信要求を受けたテレビチューナ２３は、図４で説明した場合と同様に、電波信号を受信し、受信した画像音声情報をエンコードした後、チャネル受信制御手段３９に送る。画像音声信号を受けたチャネル受信制御手段３９は、その画像音声情報をデコードし、画像情報を表示部１３に、音声情報を案内用スピーカ１６に送ると共に、画像音声情報を受信チャネル録画手段４０に送る。
【００６２】
表示部１３及び案内用スピーカ１６は、図４で説明した場合と同様に、それぞれ、画像情報を表示面に出力し、音声情報を案内用スピーカ１６に出力する。また、画像音声情報を受けた受信チャネル録画手段４０は、チャネル受信制御手段３９から通知された番組情報をファイル名として、画像音声情報を録画保存する。
【００６３】
以上説明したように、本実施形態では、アプリケーションＡ３３のチャネル指定手段３５が、テレビ番組情報手段３４が取得したＥＰＧ情報から選択されたチャネルを指定して、基本処理部３２のチャネルチェック手段３８へテレビ受信要求を行う。チャネルチェック手段３８は、チャネルチェックＳ５０の処理の中で、操作部１２のキーに割り当てられているかどうか等のチェックと行い、キーに割り当てられていないチャネルの場合には、仮想チャネル記憶領域４２にチャネルを保存する。
【００６４】
引き続き、チャネルチェック手段３８は、チャネル受信制御手段３９に受信要求を行うと共に、アプリケーションＡ３３を一時停止させる。受信要求を受けたチャネル受信制御手段３９は、テレビチューナ２３に仮想チャネル記憶領域４２に保存されたチャネルでの受信を要求し、受信された画像音声情報を表示部１３及び案内用スピーカ１６に出力するための処理を行う。
【００６５】
また、テレビ受信を終了する際には、チャネル受信制御手段３９は、アプリケーションＡ３３を再開し、テレビチューナ２３と共にテレビ受信処理を終了する。再開されたアプリケーションＡ３３のチャネル取得保存手段３６はチャネル受信制御手段３９から、受信していたチャネル情報を取得し、受信チャネル記憶領域３７に保存する。次に、アプリケーションＡ３３において、チャネルの指定のないテレビ受信要求がされた場合には、チャネル指定手段３５は、受信チャネル記憶領域３７から、チャネル情報を取得し、取得したチャネル情報のチャネルを指定して、チャネルチェック手段３８にテレビ受信要求をする。
【００６６】
また、テレビ番組を録画する際には、アプリケーションＡ３３のチャネル指定手段３５が、テレビ番組情報手段３４が取得したＥＰＧ情報から選択されたチャネルを指定して、そのチャネルの番組情報と共に、基本処理部３２のチャネルチェック手段３８へテレビ受信要求を行う。チャネルチェック手段３８は、チャネルチェックＳ５０の処理の中で、操作部１２のキーに割り当てられているかどうか等のチェックと行い、キーに割り当てられていないチャネルの場合には、仮想チャネル記憶領域４２にチャネルを保存する。
【００６７】
引き続き、チャネル受信制御手段３９に番組情報と共に受信要求を行い、アプリケーションＡ３３を一時停止させる。受信要求を受けたチャネル受信制御手段３９は、テレビチューナ２３に仮想チャネル保存領域４２に保存されたチャネルでの受信を要求し、受信された画像音声情報を表示部１３及び案内用スピーカ１６に出力させるための処理と、受信チャネル録画手段４０に録画させるための処理を行う。受信チャネル録画手段４０は、番組情報と共に、画像音声情報を保存する。
【００６８】
したがって、本実施形態によれば、利用者は、インターネットや放送電波等を介して取得したテレビ番組情報から容易に、操作キーに設定されたチャネル以外のチャネルを、視聴又は録画することができる。また、録画ファイルの情報にはテレビ番組情報も残すことができるため、録画した番組を識別するための情報の入力を行わなくとも、容易に識別することのできるファイルを作成することができる。また、利用者は、受信開始時に、過去に受信していた操作キーに設定されたチャネル以外のチャネルを、設定しなおさなくとも、視聴又は録画することができる。更に、利用者は、アプリケーションＡ３３が汎用性のアプリケーションプログラムであることにより、様々な端末で当該アプリケーションを利用することができる。
【００６９】
なお、本実施形態においては、チャネルを指定する場合には、ＥＰＧ情報から選択されたチャネルを指定していたが、ＥＰＧ情報によらずに、直接、操作キーに割り当てられていないチャネルを指定することとしてもよい。
【００７０】
また、本実施形態においては、テレビ番組情報をインターネットから取得することとしたが、テレビ放送等の放送から取得することとしてもよい。
【００７１】
また、本実施形態においては、仮想チャネル記憶領域４２に保存されたチャネルは１つとしたが、複数であってもよい。この場合に、トグルキーとして動作する操作部１２の十字キーで指定される仮想チャネル記憶領域４２に保存されたチャネルも、複数とすることができるのは勿論である。
【００７２】
また、本実施形態においては、携帯電話１０は、録画機能がついていることとしたが、録画機能がない移動通信端末装置にも適用できるのは勿論である。
【００７３】
また、本実施形態においては、受信チャネル取得保存手段３６が、受信チャネル情報を取得し保存することとしたが、更に、テレビ番組情報取得手段３４がその情報を使用し、そのチャネルの番組情報を取得し表示することとしてもよい。
【００７４】
また、本実施形態においては、チャネル指定手段３５、テレビ番組情報取得手段３４、受信チャネル取得保存手段３６及び受信チャネル記憶領域３７は、ＪＡＶＡ（登録商標）等の言語を用いた汎用アプリケーション部３１のアプリケーションＡ３３の部分としたが、その一部又は全部が、基本処理部３２の部分であることとしてもよい。
【００７５】
また、本実施形態においては、汎用アプリケーション部３１は、受信チャネル取得保存手段３６及び受信チャネル記憶領域３７を備えることとしたが、基本処理部３２に備えることとしてもよい。
【００７６】
また、本実施形態においては、移動通信端末装置として携帯電話を用いたが、その他の移動通信端末装置であってもよい。
【産業上の利用可能性】
【００７７】
以上説明したように本発明のテレビ受信方法は、テレビ受信機能の付いた移動通信端末装置に適用することができる。また、本発明の移動通信端末装置は、携帯電話をはじめとする移動通信端末装置に適用することができる。また、本発明のアプリケーションプログラムは、汎用性のあるアプリケーションプログラムを実行することができる移動通信端末装置に適用することができる。
【図面の簡単な説明】
【００７８】
【図１】本発明の実施形態に係る携帯電話１０の外観構成を概略的に示す図である。
【図２】図１の携帯電話１０の内部システム１１を概略的に示す図である。
【図３】図１の携帯電話１０の制御部２１を概略的に示す図である。
【図４】図１の携帯電話１０のテレビ受信の処理方法を説明するためのシーケンス図である。
【図５】図４のチャネルチェックＳ５０の処理を説明するためのフローチャートである。
【図６】図１の携帯電話１０のテレビ受信の一時停止と再開の処理方法を説明するためのシーケンス図である。
【図７】図１の携帯電話１０のテレビ受信と録画の処理方法を説明するためのシーケンス図である。
【符号の説明】
【００７９】
１０…携帯電話（移動通信端末装置）、１２…操作部、１３…表示部、１４…通話用スピーカ、１５…マイクロフォン、１６…案内用スピーカ、１７…アンテナ、２１…制御部、２２…送受信部、２３…テレビチューナ（チャネル受信手段の一部）、２４…テレビアンテナ（チャネル受信手段の一部）、３１…汎用アプリケーション部、３２…基本処理部、３３…アプリケーションＡ、３４…テレビ番組情報取得手段、３５…チャネル指定手段、３６…受信チャネル取得保存手段、３７…受信チャネル記憶領域、３８…チャネルチェック手段（仮想チャネル保存手段）、３８…チャネル受信制御手段（チャネル受信手段の一部）、４０…受信チャネル録画手段、４１…割当てチャネル記憶領域、４２…仮想チャネル記憶領域。
【図１】
2006157820.tif 000003
【図２】
2006157820.tif 000004
【図３】
2006157820.tif 000005
【図４】
2006157820.tif 000006
【図５】
2006157820.tif 000007
【図６】
2006157820.tif 000008
【図７】
2006157820.tif 000009